(57)【要約】      （修正有）【課題】天地方向に腰折れすることなく容易に取り付けられ、さらに、製造の簡略化や製造コストの低下及び製品の軽量化を図ることのできる自動車用サンシェードを提供する。【解決手段】自動車のフロントウインドの車内側に取り付ける自動車用サンシェード１０であって、フロントウインド内側に取り付けられるサンシェード本体２０と、サンシェード本体２０を自動車に備えられるサンバイザーに取り付ける取付手段３０とを備えるよう構成した。【選択図】図１
0003203331.tif 000002
【実用新案登録請求の範囲】
【請求項１】
自動車のフロントウインドの車内側に取り付ける自動車用サンシェードであって、
前記フロントガラスの内側に取り付けられるサンシェード本体と、
前記サンシェード本体を前記自動車に備えられるサンバイザーに取り付ける取付手段と、
を備えることを特徴とする自動車用サンシェード。
【請求項２】
前記取付手段は、前記サンシェード本体の上端部に取り付ける帯状部材又は紐状部材を備え、前記帯状部材又は紐状部材は、前記サンシェード本体の上端部における前記サンバイザーに対応する位置に取り付けられてなることを特徴とする請求項１に記載の自動車用サンシェード。
【請求項３】
前記取付手段は、前記サンシェード本体とは別体に構成され、前記サンシェード本体と着脱自在に取り付けられることを特徴とする請求項１又は２に記載の自動車用サンシェード。
【請求項４】
前記サンシェード本体は、太陽光を効率的に反射する表面シート層と裏面シート層とを備え、前記表面シート層と裏面シート層との間に中間シート層を介在させて２層の気泡シート層を備え、前記表面シート層と前記裏面シート層側から、前記サンシェード本体の天地方向の沿って幅方向に適宜間隔で表裏互い違いに複数のＶ字状又はＵ字状の条溝を加圧形成して、前記複数の条溝に沿って幅方向に蛇腹状に折り畳み可能に形成されてなる
ことを特徴とする請求項１乃至請求項３の何れか一に記載の自動車用サンシェード。
【考案の詳細な説明】
【技術分野】
【０００１】
本考案は、自動車のフロントウインドの車内側に取り付け、主として、太陽光の入光による車内温度の上昇を防止するための自動車用サンシェードに関するものである。
【背景技術】
【０００２】
従来、自動車用サンシェードとしては、例えば、実用新案登録第３１６８７７１号（特許文献１）に記載のものが公知である。前記公報に記載の自動車用サンシェードは、表裏一対のシート材からなり、かつ天地方向に複数の区画部が形成されたサンシェード本体と、前記区画部に介装される複数個の芯材とを備えている。前記心材は、金属製の角線が所定の略長楕円形状に湾曲形成された芯材本体と、その両端部を結束して固定する針金とにより構成されている。
【０００３】
前記構成の自動車用サンシェードは、前記サンシェード本体の内部に天地方向に向けて前記芯材が介装されているので、天地方向の剛性に優れたものとなり、天地方向において腰折れすることはなく、常に伸張した状態で立て掛けることができる。
【先行技術文献】
【特許文献】
【０００４】
【特許文献１】実用新案登録第３１６８７７１号公報  第1頁  図２
【考案の概要】
【考案が解決しようとする課題】
【０００５】
しかしながら、前記芯材は金属製角線を略長楕円形状に湾曲形成され、さらにその両端部を針金で結束固定するという構造のため、さらなる製造の簡略化や製造コストの低下及び製品の軽量化の要請もある。
【０００６】
本考案は、かかる点に鑑みてなされたものであり、その目的とするところは、天地方向に腰折れすることなく容易に取り付けられ、さらに、製造の簡略化や製造コストの低下及び製品の軽量化を図ることのできる自動車用サンシェードを提供することにある。
【課題を解決するための手段】
【０００７】
請求項１に記載の自動車用サンシェードは、自動車のフロントウインドの車内側に取り付ける自動車用サンシェードであって、前記フロントガラスの内側に取り付けられるサンシェード本体と、前記サンシェード本体を前記自動車に備えられるサンバイザーに取り付ける取付手段とを備えることを特徴とする。なお、前記サンバイザーには、前記サンバイザーを前記自動車に取り付ける取付部材も含む。
【０００８】
請求項１に記載の自動車用サンシェードにあっては、前記自動車用サンシェードを、前記サンバイザーに取り付ける取付手段により前記フロントウインドガラスの車内側に取り付けているので、上方から支持することとなり、天地方向に腰折れすることなく、また、腰折れ解消のための芯材等が不要となり、製造の簡略化や製造コストの低下及び製品の軽量化を図ることのできると共に容易に取り付けられることができる。
【０００９】
請求項２に記載の自動車用サンシェードは、請求項１に記載の自動車用サンシェーにおいて、前記取付手段は、前記サンシェード本体の上端部に取り付ける帯状部材又は紐状部材を備え、前記帯状部材又は紐状部材は、前記サンシェード本体の上端部における前記サンバイザーに対応する位置に取り付けられてなることを特徴とする。
【００１０】
請求項２に記載の自動車用サンシェードにあっては、請求項１に記載の自動車用サンシェーに加えて、前記帯状部材又は紐状部材を前記サンバイザーに巻回することにより、前記自動車用サンシェードを取り付けることができるので、容易に取り付けられることができる。
【００１１】
請求項３に記載の自動車用サンシェードは、請求項１又は２に記載の自動車用サンシェードにおいて、前記取付手段は、前記サンシェード本体とは別体に構成され、前記サンシェード本体と着脱自在に取り付けられることを特徴とする。
【００１２】
請求項３に記載の自動車用サンシェードにあっては、請求項１又は２に記載の自動車用サンシェードに加えて、前記帯状部材又は紐状部材を前記サンバイザーに取り付けた状態で、前記サンシェード本体を外すことができるので、次に取り付ける際は、前記サンシェード本体を前記サンバイザーに取り付けた前記帯状部材又は紐状部材に取り付けるだけで、取り付けられるため、より容易に取り付けられることができる。
【００１３】
請求項４に記載の自動車用サンシェードは、請求項１乃至請求項３の何れか一に記載の自動車用サンシェードにおいて、前記サンシェード本体は、太陽光を効率的に反射する表面シート層と裏面シート層とを備え、前記表面シート層と裏面シート層との間に中間シート層を介在させて２層の気泡シート層を備え、前記表面シート層と前記裏面シート層側から、前記サンシェード本体の天地方向の沿って幅方向に適宜間隔で表裏互い違いに複数のＶ字状又はＵ字状の条溝を加圧形成して、前記複数の条溝に沿って幅方向に蛇腹状に折り畳み可能に形成されてなることを特徴とする。
【００１４】
請求項４に記載の自動車用サンシェードにあっては、請求項１乃至請求項３の何れか一に記載の自動車用サンシェードに加えて、前記気泡シート層が２重になっているので、断熱効果を高め、日差しによる熱さをより防止することができると共に、前記サンシェード本体の天地方向の沿って幅方向に適宜間隔で表裏互い違いに複数のＶ字状又はＵ字状の条溝を加圧形成しているので、前記複数の条溝に沿って幅方向に蛇腹状に容易かつ的確に折り畳むことができる。
【考案の効果】
【００１５】
請求項１に記載の自動車用サンシェードによれば、自動車のフロントウインドの車内側に取り付ける自動車用サンシェードであって、前記フロントガラスの内側に取り付けられるサンシェード本体と、前記サンシェード本体を前記自動車に備えられるサンバイザーに取り付ける取付手段とを備えるよう構成しているので、上方から支持することとなり、天地方向に腰折れすることなく、また、腰折れ解消のための芯材等が不要となり、製造の簡略化や製造コストの低下及び製品の軽量化を図ることのできると共に容易に取り付けられることができる。
【００１６】
請求項２に記載の自動車用サンシェードによれば、請求項１に記載の自動車用サンシェードにおいて、前記取付手段は、前記サンシェード本体の上端部に取り付ける帯状部材又は紐状部材を備え、前記帯状部材又は紐状部材は、前記自動車用サンシェードの上端部における前記サンバイザーに対応する位置に取り付けられているので、請求項１に記載の自動車用サンシェーに加えて、前記帯状部材又は紐状部材を前記サンバイザーに巻回することにより、前記自動車用サンシェードを取り付けることができるので、さらに容易に取り付けられることができる。
【００１７】
請求項３に記載の自動車用サンシェードによれば、請求項１又は２に記載の自動車用サンシェードにおいて、前記取付手段は、前記サンシェード本体とは別体に構成され、前記サンシェード本体と着脱自在に取り付けられているので、請求項１又は２に記載の自動車用サンシェードに加えて、前記帯状部材又は紐状部材を前記サンバイザーに取り付けた状態で、前記サンシェード本体を外すことができるので、次に取り付ける際は、前記サンシェード本体を前記サンバイザーに取り付けた前記帯状部材又は紐状部材に取り付けるだけで、取り付けられるため、より容易に取り付けられることができる。
【００１８】
請求項４に記載の自動車用サンシェードによれば、請求項１乃至請求項３の何れか一に記載の自動車用サンシェードにおいて、前記サンシェード本体は、太陽光を効率的に反射する表面シート層と裏面シート層とを備え、前記表面シート層と裏面シート層との間に中間シート層を介在させて２層の気泡シート層を備え、前記表面シート層と前記裏面シート層側から、前記サンシェード本体の天地方向の沿って幅方向に適宜間隔で表裏互い違いに複数のＶ字状又はＵ字状の条溝を加圧形成して、前記複数の条溝に沿って幅方向に蛇腹状に折り畳み可能に形成されているので、請求項１乃至請求項３の何れか一に記載の自動車用サンシェードに加えて、前記気泡シート層が２重になっているため、断熱効果を高め、日差しによる熱さをより防止することができると共に、前記サンシェード本体の天地方向の沿って幅方向に適宜間隔で表裏互い違いに複数のＶ字状又はＵ字状の条溝を加圧形成しているため、前記複数の条溝に沿って幅方向に蛇腹状に容易かつ的確に折り畳むことができる。
【図面の簡単な説明】
【００１９】
【図１】本考案に係る自動車用サンシェードを示す正面図である。
【図２】同自動車用サンシェードを示す裏面図である。
【図３】同自動車用サンシェードの要部拡大斜視図である。
【図４】サンシェード本体を示す部分拡大断面図である。
【図５】サンシェード本体を示す部分拡大端面図である。
【図６】自動車のサンバイザーに取付用バンドを巻回する状態を示す概略図である。
【図７】自動車用サンシェードを自動車の車内に取り付けた状態を示す概略図である。
【図８】自動車用サンシェードを自動車のフロントウインドの内側に立て掛けるように設置する状態を示す概略図である。
【考案を実施するための最良の形態】
【００２０】
以下、本考案を実施するための最良の形態を図面に基づいて具体的に説明する。
【００２１】
図１は本考案にかかる自動車用サンシェードの正面図であり、図２は同自動車用サンシェードを示す裏面図であり、図３は同自動車用サンシェードの要部拡大斜視図である。
【００２２】
図１および図２において、自動車用サンシェード１０は自動車のフロントウインドＦＷの内側に立て掛けるように設置して太陽光を遮光するものであり、自動車のフロントウインドＦＷの内面側の略全面を覆うことができるように構成されており、略台形状に形成されたサンシェード本体２０と、前記サンシェード本体２０を前記フロントウインドＦＷの上部に設けられる一対のサンバイザーＳＶ，ＳＶに取り付けるための一対の取付用バンド３０，３０とを備えている。
【００２３】
前記サンシェード本体２０は、前記フロントウインドＦＷの形状に合わせて、上辺よりも下辺を長くした正面視略正台形状に形成されると共に、前記サンシェード本体２０の上辺部分の略中央には、前記フロントウインドＦＷの上部中央に設けられているバックミラーを通すための略Ｖ字状の逃がし開口部２７が形成されている。さらに、前記逃がし開口部２７を開閉する遮蔽幕４０（４０ａ，４０ｂ）が設けられている。
【００２４】
前記取付用バンド３０は、合成樹樹脂製の短尺ベルト３０ａと長尺ベルト３０ｂとの基端部を接合し、前記接合された基端部の裏面に雄型面ファスナ３２を固着し、後述する前記サンシェード本体２０の上端部に設けたベルト取付用面ファスナ３３と脱着自在に接合固定できるようにしている。また、前記短尺ベルト３０ａと長尺ベルト３０ｂとは巻回して接合できるように、夫々の対応する面に面ファスナ３１ａ，３１ｂを固着している。そして、前記取付用バンド３０は、前記サンシェード本体２０の上端部分であって、前記自動車のフロントウインドＦＷに取り付けた場合に前記サンバイザーＳＶの位置と符合する箇所の２箇所に取り付けられている。なお、ここで、前記サンバイザーＳＶは、前記サンバイザーＳＶを前記自動車に取り付けるステー等の取付部材をも含む。
【００２５】
前記遮蔽幕４０（４０ａ，４０ｂ）は、略Ｖ字状に切り欠かれた前記逃がし開口部２７の中央で閉じ合わすことができるように略三角形状の布体を、前記逃がし開口部２７の両側斜辺に縫着して形成されており、夫々の遮蔽幕４０ａ，４０ｂを開閉自在とするように、一方の遮蔽幕４０ａには雄型面ファスナで形成された帯状の係止部４１が縫着されており、他方の遮蔽幕４０ｂには前記係止部４１を着脱自在に固定するため雌型面ファスナで形成された帯状の係止部４２が縫着されている。
【００２６】
前記サンシェード本体２０の一側端辺中央には、前記自動車用サンシェード１０を蛇腹状に折り畳んだ状態で、前記サンシェード本体２０を巻回して固定するための収納用バンド５０を縫着している。前記収納用バンド５０は、合成樹脂製の幅広のバンドであり、縫着部分とバンド先端部にそれぞれ接合する面ファスナを設けており、前記自動車用サンシェード１０を蛇腹状に折り畳んだ状態で、前記自動車用サンシェード１０を巻回して固定することができる。
【００２７】
図４はサンシェード本体を示す部分拡大断面図であり、図５はサンシェード本体を示す部分拡大端面図である。
【００２８】
図４及び図５に詳細に示すように、前記サンシェード本体２０は、２枚のポリエチレン樹脂製の気泡シート２４，２５を合成樹脂製の中間シート２３を介在させて２層に形成し、表面を合成樹脂製のアルミ蒸着シートにて形成される表面シート２１及び裏面シート２２で張り合わせて、全体として、略正台形状に形成しており、その周縁部に縁布２６を当てて縫製して形成されている。前記表面シート２１の表面には多数の円状のディンプル２１ａが形成されている。
【００２９】
また、前記サンシェード本体２０には、図１、図２及び図４に示すように、前記表面シート２１側及び前記裏面シート２２側には、幅方向に所定間隔を有して天地方向に折れ目筋２８が９条入っており、前記折れ目筋２８には、蛇腹状に折り畳み易くするために、表裏面シート２１，２２において交互となるように、それぞれ一条おきに略Ｖ字状の条溝２８（前記表面シート２１側には条溝２８ａ、前記裏面シート２２側には条溝２８ｂ）を加圧して形成している。なお、前記条溝２８は、略Ｕ字状に形成しても良い。なお、前記条溝２８は、前記気泡シート２４，２５にのみ形成しても良く、この場合は、前記表面シート２１及び前記裏面シート２２には前記折れ目筋２８は折れ曲げることにより形成されるように形成しても良い。
【００３０】
図６は自動車のサンバイザーＳＶに取付用バンド３０を巻回する状態を示す概略図であり、図７は自動車用サンシェード１０を前記自動車のフロントウインドＦＷの内側に立て掛けるように設置する状態を示す概略図である。
【００３１】
図６に示すように、本考案に係る前記自動車用サンシェード１０を前記自動車に取り付ける場合は、例えば、先ず、前記取付用バンド３０の前記長尺ベルト３０ｂを、前記サンバイザーＳＶの外側（窓側）に差し入れて、手前に巻回し、前記サンバイザーＳＶの内側から取り回した前記取付用バンド３０の短尺ベルト３０ａの面ファスナ３１ａに、前記前記長尺ベルト３０ｂの面ファスナ３１ｂを接合して固定する。そして、もう一方の前記サンバイザーＳＶにも同様に前記取付用バンド３０を固定する。
【００３２】
そして、図７に示すように、前記サンシェード本体２０を、前記前記自動車のフロントウインドＦＷの内側に立て掛けるように設置して、前記サンシェード本体２０の上端部左右に設けられた前記ベルト取付用面ファスナ３３，３３と接合固定するのである。
【００３３】
さらに、前記自動車用サンシェード１０を、前記自動車から取り外す場合は、前記サンシェード本体２０のみを、前記取付用バンド３０から外し、前記取付用バンド３０を前記サンバイザーＳＶに存置したままの状態にしておくと、次回に前記自動車用サンシェード１０を設置する場合は、前記取付用バンド３０を前記サンバイザーＳＶに取り付ける手間が省け、前記サンシェード本体２０を前記取付用バンド３０に固定するだけで設置することができ、設置作業を容易かつ短時間で行うことができる。
【００３４】
前記自動車用サンシェード１０によると、前記サンバイザーＳＶに前記取付用バンド３０を取り付けることにより前記フロントウインドＦＷの車内側に設置しているので、上方から支持することとなり、天地方向に腰折れすることなく、また、腰折れ解消のための芯材等が不要となり、製造の簡略化や製造コストの低下及び製品の軽量化を図ることのできると共に容易に取り付けられることができる。
【００３５】
なお、前記実施例においては、前記取付用バンド３０はベルト状に形成したが、紐状に形成しても良い。また、前記サンバイザーＳＶには、前記取付用バンド３０を巻回して取り付けたが、巻回して結び固定しても良い。
【００３６】
さらに、前記実施例においては、前記取付用バンド３０を前記サンシェード本体２０と脱着可能に形成したが、前記取付用バンド３０を前記サンシェード本体２０に固定しても良い。固定する場合は縫製、溶着又は接着等の既存の固定方法であれば良い。また、前記前記取付用バンド３０を前記サンシェード本体２０と固定又は接続する方法としては、前記サンシェード本体２０に孔や切り込みをを開設し、前記孔や切り込みに前記取付用バンド３０や紐状の取付手段を挿入して固定又は接続しても良い。
【符号の説明】
【００３７】
１０  自動車用サンシェード
２０  サンシェード本体
２１  表面シート
２１ａ  ディンプル
２２  裏面シート
２３，２４  気泡シート
２５  中間シート
２６  縁布
２７  逃がし開口部
２８  折れ目筋
２８ａ  表面シート側条溝
２８ｂ  裏面シート側条溝
３０  取付用バンド
３０ａ  短尺ベルト
３０ｂ  長尺ベルト
３１  面ファスナ
３１ａ  短尺ベルト側面ファスナ
３１ｂ  長尺ベルト側面ファスナ
３２，３３  面ファスナ（取付バンド固定用）
４０（４０ａ，４０ｂ）  遮蔽幕
４１  帯状係止部（面ファスナ）
４２  帯状係止部（面ファスナ）
５０  収納用バンド
ＦＷ  フロントウインド
ＳＶ  サンバイザー
【図１】
0003203331.tif 000003
【図２】
0003203331.tif 000004
【図３】
0003203331.tif 000005
【図４】
0003203331.tif 000006
【図５】
0003203331.tif 000007
【図６】
0003203331.tif 000008
【図７】
0003203331.tif 000009
【図８】
0003203331.tif 000010